(57)【特許請求の範囲】
【請求項１】
小片状に形成した木材チップ（１ａ）を主成分とし，該木材チップに添加混合材（１ｂ）を総重量の１０％から５０％の範囲内で添加し，攪拌した粒状混合体の糞尿処理材（１）であって，該添加混合材は，微生物菌体により分解不能な固形廃棄物（２ｂ）を取り除いた，仕分済の生ゴミ媒体（２ａ），木酢液を主成分とし油脂で固めた粒状の殺生消臭固形剤（３），そして籾殻（４）を混合した粒状混合媒体から成り，そして該糞尿処理材を，家畜（６）を飼育しながら，畜舎（８）内部の糞尿（６ａ）を排泄する床（７）上に敷設して使用する事を特徴とする家畜糞尿処理材。
【請求項２】
木材原材料（１ｃ）を粉砕（Ｐ１ａ）し小片状に形成した木材チップ（１ａ）を主成分とし，該木材チップに添加混合材（１ｂ）を総重量の１０％から５０％の範囲内で添加し，攪拌（Ｐ１）した粒状混合体から成る糞尿処理材（１）において，該添加混合材は，微生物菌体により分解不能な固形廃棄物（２ｂ）を取り除いた，仕分済の生ゴミ媒体（２ａ），木酢液を主成分とし油脂で固めた粒状の殺生消臭固形剤（３），そして籾殻（４）を混合した粒状混合媒体から成り，そして該糞尿処理材を，家畜（６）を飼育しながら，畜舎（８）内部の糞尿（６ａ）を排泄する床（７）上に，該糞尿排泄重量の約数％から約２５％程度の範囲内の所定の重量を，所定の期間敷設放置して，畜舎内発酵（Ｐ５）を行い，放線菌・糸状菌等の微生物菌体により，肥料（５）を促進形成する事を特徴とする家畜糞尿処理方法。
【発明の詳細な説明】
【０００１】
【発明の属する技術分野】
本発明は，牛・豚等の家畜を飼育しながら，畜舎内部で該家畜の排出した糞尿を，悪臭放出を抑制しながら，生ゴミ及び不要木材成形チップをも含めて，肥料化を促進形成できる，家畜糞尿処理材及び方法に関する。
【０００２】
【従来の技術】
従来技術における家畜糞尿肥料化処理材及び方法は，特になく，通常は牛・豚等の家畜を飼育しながら，畜舎内部の糞尿を排泄する床上に，藁等を敷設して，該藁上に排泄した糞尿を共に所定の期間収集し，該畜舎外部の所定の場所で，約半年から１年放置し，堆肥性肥料を形成していた。
【０００３】
従来技術における伐採木の枝・樹皮，被災木，剪定残さ，刈り取り草類，解体不要木材等から成る木材原材料の肥料化処理方法は，特になく，所定の場所で，約１年以上放置し，堆肥性肥料を形成していた。
【０００４】
従来技術における生ゴミの肥料化処理機及び方法は，各種あるが，例えば，実用新案登録番号：第３０６１４７３号記載の生ゴミ処理機のように，生ゴミ分解専用機が主であった。
【０００５】
【発明が解決しようとする課題】
従来技術の家畜糞尿肥料化処理方法は，畜舎外部の所定の場所で，約半年から１年放置し，堆肥性肥料を形成していたので，肥料化する場所を，該畜舎外部に設定する必要があり，場所を専有し，長期間を要し，且つ悪臭を発生するので，該畜舎と共に公害問題を提起するおそれある社会的な問題点があった。
【０００６】
従来技術の不要木材等から成る木材原材料の肥料化処理方法は，特になく，所定の場所で，約１年以上放置し，堆肥性肥料を形成していたので，場所を専有し，長期間を要し，且つ悪臭を発生するので，公害に繋がりかねない問題点があった。
【０００７】
【課題を解決するための手段】
上記の問題点を解決するために，本発明の家畜糞尿処理材は，不要木材等から成る木材原材料を粉砕し小片状に形成した木材チップを主成分とし，微生物菌体に対し炭素補充栄養源としての該木材チップに添加混合材を添加し，攪拌した粒状混合体であって，該添加混合材は，仕分済の生ゴミ媒体，殺生消臭分解作用を有する木酢液を主成分とし油脂で固めた粒状の殺生消臭固形剤，そして籾殻を混合した粒状混合媒体から成る事を特徴とする。
【０００８】
本発明の家畜糞尿処理方法は，家畜糞尿処理材を，牛・豚等の家畜を飼育しながら，畜舎内部の糞尿を排泄する床上に，所定の重量を，約１カ月余りの期間敷設放置して，微生物菌体に対し該糞尿から窒素栄養源を補充しながら，悪臭を抑制し，畜舎内発酵（Ｐ５）を行い，主に好気性発酵作用による肥料を促進形成する事を特徴とする。
【０００９】
【発明の実施の形態】
本発明の請求項１に対応する家畜糞尿処理材は，伐採木の枝・樹皮，被災木，剪定残さ，刈り取り草類，解体不要木材等から成る木材原材料を粉砕し小片状に形成した木材チップを主成分とし，該木材チップに添加混合材を総重量の１０％から５０％の範囲内で添加し，攪拌した粒状混合体であって，該添加混合材は，野菜・果物類・魚介類・鳥獣類等から成る生ゴミから，排出に用いたビニール等の樹脂製袋や容器類から成る微生物菌体により分解不能な固形廃棄物を取り除いた，仕分済の生ゴミ媒体，殺生消臭分解作用を有する木酢液を主成分とし油脂で固めた粒状の殺生消臭固形剤，そして籾殻を混合した粒状混合媒体から成り，そして該糞尿処理材を，牛・豚等の家畜を飼育しながら，畜舎内部の糞尿を排泄する床上に，所定の重量を，所定の期間敷設放置して，放線菌・糸状菌等の微生物菌体により，主に好気性発酵作用による肥料を悪臭を抑制し，促進形成するのに使用する事を特徴とする。
【００１０】
本発明の請求項２に対応する家畜糞尿処理方法は，伐採木の枝・樹皮，被災木，剪定残さ，刈り取り草類，解体不要木材等から成る木材原材料を粉砕（Ｐ１ａ）し小片状に形成した木材チップを主成分とし，該木材チップに添加混合材を総重量の１０％から５０％の範囲内で添加し，攪拌（Ｐ１）した粒状混合体から成る糞尿処理材において，該添加混合材は，野菜・果物類・魚介類・鳥獣類等から成る生ゴミから，排出に用いたビニール等の樹脂製袋や容器類から成る微生物菌体により分解不能な固形廃棄物を取り除いた，仕分済の生ゴミ媒体，殺生消臭分解作用を有する木酢液を主成分とし油脂で固めた粒状の殺生消臭固形剤，そして籾殻を混合した粒状混合媒体から成り，そして該糞尿処理材を，牛・豚等の家畜を飼育しながら，畜舎内部の糞尿を排泄する床上に，該糞尿排泄重量の約数％から約２５％程度の範囲内の所定の重量を，約１カ月余りの期間敷設放置して，畜舎内発酵（Ｐ５）を行い，放線菌・糸状菌等の微生物菌体により，主に好気性発酵作用による肥料を悪臭を抑制し，促進形成する事を特徴とする。
【００１１】
本発明の家畜糞尿処理材に用いる，殺生消臭分解作用を有する木酢液を主成分とし油脂で固めた粒状の殺生消臭固形剤は，木酢液量に対し油脂を混和捏和し，ゼオライト等と混合した固形製剤を用いることもでき，特許番号：第１９６２６３５記載の固形製剤をも用いる事も出来る。
【００１２】
本発明の家畜糞尿処理材に用いる，殺生消臭固形剤は，生ゴミ媒体・糞尿・木材チップの成分である有機物の発酵促進及び殺菌悪臭除去の作用を有し，木酢液のエステル，アルデヒド，メチルアルコール等の作用により，殺菌，防虫，脱臭作用を持ち，有機物の発酵促進に役立ち，バクテリア，根瘤菌等は異常なく生存する作用を有する。
【００１３】
本発明の家畜糞尿処理材において，殺生消臭固形剤に用いる，沸石とも呼ばれるゼオライトの作用は，ガスの吸着作用，分離や乾燥作用，イオン交換作用の他，触媒としての作用をも持つ。
【００１４】
本発明の家畜糞尿処理材において，添加混合材に，必要ならば更に少量のゼオライトを添加する事も出来る。
【００１５】
本発明の家畜糞尿処理材に用いる，添加混合材を構成する籾殻の作用は，生ゴミ媒体の発酵において，通気性を良くする作用を有する。
【００１６】
本発明の家畜糞尿処理材において用いる，添加混合材は，実用新案登録番号：第３０６１４７３号記載の生ゴミ処理機を用いて，野菜・果物類・魚介類・鳥獣類等から成る生ゴミを排出に用いたビニール等の樹脂製袋や容器類も混載した未仕分の生ゴミ媒体，殺生消臭固形剤，そして籾殻を混合した混合媒体，更にスラッグとも言われる高炉鉱滓・岩石等，重い比重を有する魂状の重量魂媒体から成る投入媒体を該生ゴミ処理機容器本体内部に投入し，該容器を回転し，処理時間：約数１０分後，底に沈んだ該投入媒体と共に，浮上した微生物菌体により分解不能な固形廃棄物を粉砕分離（Ｐ１ｂ）し取り出し，所望の該添加混合材を確保する事も出来る。
【００１７】
本発明の家畜糞尿処理材に用いる，木材チップは，伐採木の枝・樹皮，被災木，剪定残さ，刈り取り草類，解体不要木材等から成る木材原材料を，粉砕機を用いて，粉砕（Ｐ１ａ）し小片状に形成し，編目メッシュ：約数ｍｍ正方形の選別機を通過した．該木材チップを用いる事も出来る。
【００１８】
本発明の家畜糞尿処理材に用いる，木材チップの作用は，該木材チップに含有する，ほぼ５０重量％以上の炭素成分により，放線菌・糸状菌等の微生物菌体の炭素補充栄養源として作用するだけでなく，糞尿に含有する水分，且つ有機物分解で生じる水分の吸収作用を示し，且つ糞尿・生ゴミ媒体等の肥料化に要する好気性発酵作用に必要な酸素の均等な補給作用をも有し，また該発酵作用により，外気に比べて数１０℃温度が上昇するので，適度な水分調整作用をも有する。
【００１９】
本発明の家畜糞尿処理方法に用いる，糞尿は，該糞尿自体の肥料化の原材料としての機能を行うだけでなく，動物肥料なので窒素成分を多く含有し，放線菌・糸状菌等の微生物菌体に対する，窒素補充栄養源として作用し，発酵の活性化作用を有する。
【００２０】
本発明の家畜糞尿処理方法に用いる，家畜糞尿処理材は，木酢液を主成分とする殺生消臭固形剤を含有するので，糞尿と共に生ゴミ媒体を含む家畜糞尿処理材の肥料化において，肥料化の促進作用により，約１か月余りで肥料化でき，肥料化処理期間の短縮だけでなく，且つ悪臭防止作用をも有する。
【００２１】
本発明の家畜糞尿処理方法において，家畜糞尿処理材の糞尿排泄重量に対する混合重量％が低く，約数％近傍程度であると，糞尿と共に家畜糞尿処理材の肥料化は，腐植性肥料を形成し，そして該家畜糞尿処理材の糞尿排泄重量に対する混合重量％が高く，約２５％近傍程度であると，堆肥性肥料を形成する作用を有する。
【００２２】
本発明の家畜糞尿処理方法において，糞尿と共に生ゴミ媒体・木材チップを含む家畜糞尿処理材の肥料化は，共に微生物菌体に対する補充栄養源として作用するだけでなく，牛・豚等の家畜を飼育しながら，一括して畜舎内部で行うので，該糞尿，生ゴミ，不要木材等の産業廃棄物リサイクルとしての肥料化場所の有効な削減作用を有する。
【００２３】
【実施例】
この発明の実施例の図面において，図１は本発明の実施例を示す，家畜糞尿処理材及び方法における，使用状態の糞尿処理材の概略説明用の一部欠載断面視野側面図であり，そして図２は，該糞尿処理材の含有成分重量％である。図３は，本発明の実施例を示す，家畜糞尿処理方法の工程図である。
【００２４】
この発明の実施例を以下説明すると，家畜糞尿処理材（１）は，図１及び図２に示すように，伐採木の枝・樹皮，被災木，剪定残さ，刈り取り草類，解体不要木材等から成る木材原材料（１ｃ）を粉砕し小片状に形成した木材チップ（１ａ）を主成分とし，該木材チップに添加混合材（１ｂ）を総重量の１０％から５０％の範囲内で添加し，攪拌した粒状混合体であって，該添加混合材は，野菜・果物類・魚介類・鳥獣類等から成る生ゴミから排出に用いたビニール等の樹脂製袋や容器類から成る固形廃棄物（２ｂ）を取り除いた，仕分済の生ゴミ媒体（２ａ），殺生消臭分解作用を有する木酢液を主成分とし油脂で固めた粒状の殺生消臭固形剤（３），そして籾殻（４）を混合した粒状混合媒体から成り，そして該糞尿処理材を，牛・豚等の家畜（６）を飼育しながら，畜舎（８）内部の糞尿（６ａ）を排泄する床（７）上に，所定の重量を，所定の期間敷設放置して，主に好気性発酵作用による肥料（５）を促進形成するのに使用する事を特徴とする。
【００２５】
本発明の実施例の家畜糞尿処理材において，糞尿処理材（１）の総重量に対する，添加混合材（１ｂ）の添加重量％は，１０％を採用した。
【００２６】
本発明の実施例の家畜糞尿処理材において，家畜（６）として乳牛を用い，糞尿処理材（１）の床（７）上に敷設して使用する重量は，糞尿排泄重量＝１６００ｋｇに対し，該糞尿処理材重量＝１００ｋｇの割合とし，これは該糞尿排泄重量の６．２５％に相当し，そして約１か月余り放置して，畜舎内発酵（Ｐ５）を行い，発酵した肥料（５）を確保した。なお，該乳牛の一頭当たりの糞尿排泄重量は，平均して６０ｋｇ／日であるので，該糞尿排泄重量＝１６００ｋｇは，約２７日分の排泄重量に相当し，そして該糞尿処理材重量＝１００ｋｇの体積は，該糞尿処理材の密度が，該糞尿の密度に比べて十分低いので，該糞尿排泄重量＝１６００ｋｇの体積に比べて約４倍に相当し，該床に敷設した該糞尿排泄重量の高さは，数ｃｍ程度となった。なお，該糞尿処理材重量＝１００ｋｇを該糞尿排泄重量＝１６００ｋｇの総重量＝１７００ｋｇは，約１か月余り放置して，該畜舎内発酵を行うと，該総重量は，発酵して減少し，始めの該総重量の約８５％程度に減少した。
【００２７】
本発明の実施例の家畜糞尿処理材（１）において用いる，殺生消臭分解作用を有する木酢液を主成分とし油脂で固めた粒状の殺生消臭固形剤（３）は，木酢液量に対し１０─２０％のヒノキチオール等の油脂を混和捏和し，籾殻と米糠から成る薫炭とゼオライト等と混合した固形製剤であり，特許番号：第１９６２６３５記載の固形製剤を用いた。
【００２８】
本発明の実施例の家畜糞尿処理材（１）において用いる，添加混合材（１ｂ）は，生ゴミから排出に用いたビニール等の樹脂製袋や容器類から成る固形廃棄物（２ｂ）を取り除いた，仕分済の生ゴミ媒体（２ａ），殺生消臭分解作用を有する木酢液を主成分とし油脂で固めた粒状の殺生消臭固形剤（３），そして籾殻（４）を混合した混合媒体から成り，実用新案登録番号：第３０６１４７３号記載の生ゴミ処理機を用いて生成した。該生ゴミ処理機を用い，図３に示すように，野菜・果物類・魚介類・鳥獣類等から成る生ゴミを排出に用いたビニール等の樹脂製袋や容器類も混載した未仕分の生ゴミ媒体（２），該殺生消臭固形剤，そして該籾殻を混合した混合媒体，更にスラッグとも言われる高炉鉱滓・岩石等，重い比重を有する魂状の重量魂媒体から成る投入媒体を該生ゴミ処理機容器本体内部に投入し，該容器を回転し，処理時間：約数１０分後，底に沈んだ該投入媒体と共に，浮上した該固形廃棄物を粉砕分離（Ｐ１ｂ）し取り出し，所望の該添加混合材を確保した。
【００２９】
本発明の実施例の家畜糞尿処理材（１）において用いる，木材チップ（１ａ）は，図３に示すように，伐採木の枝・樹皮，被災木，剪定残さ，刈り取り草類，解体不要木材等から成る木材原材料（１ｃ）を，粉砕機を用いて，粉砕（Ｐ１ａ）し小片状に形成し，編目メッシュ：約５ｍｍ正方形の選別機を通過した．該木材チップを用いた。
【００３０】
本発明の実施例の家畜糞尿処理方法は，図３に示すように，伐採木の枝・樹皮，被災木，剪定残さ，刈り取り草類，解体不要木材等から成る木材原材料（１ｃ）を粉砕（Ｐ１ａ）し小片状に形成した木材チップ（１ａ）を主成分とし，該木材チップに添加混合材（１ｂ）を総重量の１０％から５０％の範囲内で添加し，攪拌（Ｐ１）した粒状混合体から成る糞尿処理材（１）において，該添加混合材は，野菜・果物類・魚介類・鳥獣類等から成る生ゴミから排出に用いたビニール等の樹脂製袋や容器類から成る固形廃棄物（２ｂ）を取り除いた，仕分済の生ゴミ媒体（２ａ），殺生消臭分解作用を有する木酢液を主成分とし油脂で固めた粒状の殺生消臭固形剤（３），そして籾殻（４）を混合した粒状混合媒体から成り，そして該糞尿処理材を，牛・豚等の家畜（６）を飼育しながら，畜舎（８）内部の糞尿（６ａ）を排泄する床（７）上に，該糞尿排泄重量の約数％から約２５％程度の範囲内の所定の重量を，約１カ月余りの期間敷設放置して，畜舎内発酵（Ｐ５）を行い，主に好気性発酵作用による肥料（５）を促進形成する事を特徴とする。
【００３１】
【発明の効果】
本発明は，以上説明した様な形態で実施され，以下に記載される様な効果を有する。
【００３２】
本発明の家畜糞尿処理材は，木酢液を主成分とする殺生消臭固形剤を含有するので，糞尿と共に生ゴミ媒体を含む家畜糞尿処理材の肥料化において，肥料化の促進作用により，約１か月余りで肥料化でき，肥料化処理期間の短縮だけでなく，且つ悪臭防止効果をも有する。
【００３３】
本発明の家畜糞尿処理方法において，糞尿と共に生ゴミ媒体・木材チップを含む家畜糞尿処理材の肥料化は，共に微生物菌体に対する補充栄養源として作用するだけでなく，牛・豚等の家畜を飼育しながら，一括して畜舎内部で行うので，該糞尿，生ゴミ，不要木材等の産業廃棄物リサイクルとしての肥料化場所の有効な削減効果を有する。
【図面の簡単な説明】
【図１】本発明の実施例を示す，家畜糞尿処理材及び方法における，使用状態の糞尿処理材の概略説明用の一部欠載断面視野側面図。
【図２】本発明の実施例を示す，家畜糞尿処理材及び方法における，糞尿処理材の含有成分重量％。
【図３】本発明の実施例を示す，家畜糞尿処理方法の工程図。
【符号の説明】
１    糞尿処理材
１ａ  木材チップ
１ｂ  添加混合材
１ｃ  木材原材料
２    未仕分生ゴミ媒体
２ａ  仕分済生ゴミ媒体
２ｂ  固形廃棄物
３    殺生消臭固形剤
４    籾殻
５    肥料
６    家畜
６ａ  糞尿
７    床
８    畜舎
Ｐ１ａ  粉砕
Ｐ１ｂ  粉砕分離
Ｐ１    攪拌
Ｐ５    畜舎内発酵
【図１】
0003557604.tif 000002
【図２】
0003557604.tif 000003
【図３】
0003557604.tif 000004